(57)【要約】本発明は、１つの送信システム及び複数の受信器を備えている単方向データ送信ネットワークにおいてデジタル・コンテンツをブロードキャストする方法であって、上記デジタル・コンテンツは可変量で送信される一次データを含み及びそれによってバンド幅を一時的に自由にし、上記方法において、追加のデジタル・コンテンツが一時的に自由にされたバンド幅を少なくとも使用して上記送信システムから少なくとも１つの受信器へ送信され、そして上記コンテンツは少なくとも１つの受信器中にローカルに格納される、上記方法に関する。【選択図】図１
2013500618.tif 000002
【特許請求の範囲】
【請求項１】
１つの送信システム及び複数の受信器を備えている単方向データ送信ネットワークにおいてデジタル・コンテンツをブロードキャストする方法であって、上記デジタル・コンテンツは可変量で送信される一次データを含み及びそれによって一時的にバンド幅を自由にし、上記方法において、追加のデジタル・コンテンツが上記一時的に自由にされたバンド幅を少なくとも使用して上記送信システムから少なくとも１つの受信器へ送信され、そして上記コンテンツは少なくとも１つの受信器中にローカルに格納される、上記方法。
【請求項２】
上記追加のデジタル・コンテンツが、上記追加のデジタル・コンテンツを得るための以前の要求と独立してブロードキャストされる、請求項１に記載の方法。
【請求項３】
上記追加のデジタル・コンテンツが、固定ビット・レートで上記送信ネットワークにおいてブロードキャストされる、請求項１に記載の方法。
【請求項４】
上記追加のデジタル・コンテンツが、可変ビット・レートで上記データ送信ネットワークにおいて連続的にブロードキャストされる、請求項１に記載の方法。
【請求項５】
上記追加のデジタル・コンテンツが、上記データ送信ネットワークにおいて非連続的にブロードキャストされ、及び、上記追加のデジタル・コンテンツをブロードキャストすることが中断される場合に、ブロードキャストすることが、上記ネットワークにおいて利用可能な上記バンド幅に関連する情報の受信後に再開する、請求項１に記載の方法。
【請求項６】
上記追加のデジタル・コンテンツをブロードキャストすることを再開するとすぐに、まだブロードキャストされてない上記追加のデジタル・コンテンツのパケットのみがブロードキャストされる、請求項５に記載の方法。
【請求項７】
上記ネットワークがマルチチャンネル・ネットワークであり、上記マルチチャンネル・ネットワークにおいて、上記追加のデジタル・コンテンツが各チャンネル上で利用可能なバンド幅に応じてブロードキャストされる、請求項１に記載の方法。
【請求項８】
上記ネットワークにおいてブロードキャストすることが、上記中断の前に上記追加のデジタル・コンテンツをブロードキャストされるために使用された一つのチャンネル又は複数のチャンネルと異なる少なくとも一つのチャンネル上で再開する、請求項６に記載の方法。
【請求項９】
上記受信器はデジタル・ストレージ・スペースを備えており、及び、上記追加のデジタル・コンテンツは、当該追加のデジタル・コンテンツを格納するために割り当てられるべき上記ストレージ・スペースの部分に関連するデータを含む、請求項１に記載の方法。
【請求項１０】
上記追加のデジタル・コンテンツは、上記受信器による上記コンテンツの管理に関連するデータを含み、及び、上記追加のデジタル・コンテンツの少なくとも一部は、上記データに応じて上記受信器の上記デジタル・ストレージ・スペース中に格納され又はそれから削除される、請求項１に記載の方法。
【請求項１１】
上記追加のデジタル・コンテンツはマルチメディア・ファイルを含む、請求項１に記載の方法。
【請求項１２】
少なくとも１つのマルチメディア・ファイル・アクセプタンス・フィルタが、ユーザ・プロファイルに応じて上記受信器によって適用され、そして上記フィルタによって拒絶されないマルチメディア・ファイルのみが上記受信器によって格納される、請求項１１に記載の方法。
【請求項１３】
上記データ送信ネットワークは少なくとも２つのサブ・ネットワークを備えており、及び、上記送信システムによって上記追加のデジタル・コンテンツを上記受信器へブロードキャストすることは、各サブ・ネットワークにおいて利用可能なバンド幅に応じて適応される、請求項１２に記載の方法。
【請求項１４】
上記データ送信ネットワークが、地上デジタル・テレビ・ネットワーク又は衛星テレビ・ネットワークである、請求項１３に記載の方法。
【請求項１５】
上記送信システムが、上記ネットワークにおけるバンド幅の利用可能性に対して動的にスレーブにされる、請求項１に記載の方法。
【請求項１６】
少なくとも１つの単方向データ送信ネットワークにおいて少なくとも１つの送信システムから少なくとも１つの受信器へ追加のデジタル・コンテンツをブロードキャストするためのシステムであって、上記送信されるデータは可変ビット・レートで送信される一次データを含み及びそれによって一時的にバンド幅を自由にし、上記システムは、上記一時的に自由にされたバンド幅を使用して上記送信システムから少なくとも１つの受信器へ追加のデジタル・コンテンツを送信するように構成されている、上記システム。
【請求項１７】
１つの送信システム及び複数の受信器を備えているデータ送信ネットワークにおいてデジタル・データをブロードキャストする方法であって、上記送信されるデータは可変量で送信される一次データを含み及びそれによって一時的にバンド幅を自由にし、上記方法において、追加のデジタル・コンテンツは、上記一時的に自由にされたバンド幅を少なくとも使用して上記送信システムから少なくとも１つの受信器へ送信され、及び上記コンテンツは少なくとも１つの受信器中にローカルに格納され、この追加のデジタル・コンテンツは、一次データをブロードキャストするために使用されない上記ネットワークにおいて利用可能なバンド幅に応じて決定されるビット・レートで送信される、上記方法。
【発明の詳細な説明】
【技術分野】
【０００１】
本発明は、データ送信ネットワークにおいて、デジタル・データをブロードキャストする方法であって、上記送信されるデータは一次データ（primary data）及び追加のデジタル・コンテンツを含む、上記方法を提供する。
【０００２】
本発明は、より特には、マルチメディア追加デジタル・コンテンツ、とりわけビデオ・ファイル、例えばユーザが視聴するために追加の料金を支払わなければならない最近リリースされたシネマ・フィルム、をＶＯＤ（ビデオ・オン・デマンド）に類似の様式でブロードキャストすることに適用する。
【０００３】
このブロードキャストすることは、単方向ネットワーク、例えば地上デジタル・テレビ・ネットワーク若しくは衛星テレビ・ネットワーク、又は、通常双方向であるネットワーク、例えばインターネットにおいてもたらされうる。ここで、上記一次データは、ブロードキャストされるテレビ番組に対応する。
【背景技術】
【０００４】
現在、ＶＯＤシステムは「プル」モード送信を使用し、デジタル・コンテンツは、送信システムと受信器との間の慣用的な「ポイント・ツー・ポイント」送信によってユーザの要求でブロードキャストされる。
【０００５】
ユーザは、例えば、ＶＯＤサービス・プロバイダから入手可能なカタログから追加のデジタル・コンテンツを選択し、及び、上記コンテンツは、それがブロードキャストされると同時に上記ユーザによって視聴されるか、又はそれが上記受信器のデジタル・ストレージ・スペース中に格納され、そして後に視聴されたか、のいずれかでありうる。
【先行技術文献】
【特許文献】
【０００６】
【特許文献１】米国特許出願2003/0115294号明細書
【特許文献２】仏国特許2 846 831号明細書
【発明の概要】
【発明が解決しようとする課題】
【０００７】
ブロードキャスト・サービスのそれら種類は、相対的に扱いにくく且つ費用の掛かるネットワーク・アーキテクチャを含み、及び大規模な広域都市圏にのみ一般的に展開され、それは上記サービスへのアクセスを制限する。
【０００８】
追加のデジタル・コンテンツ、例えば大きいサイズの追加のデジタル・コンテンツ、を、一次データが既に送信中のデータ送信ネットワークにおいて迅速に、信頼的に、及び安全的にブロードキャストできるための必要性がある。なぜならば、特には、高記憶容量、例えば160Gバイトを超える記憶容量、を有する受信器の導入がそのような追加のデジタル・コンテンツにおける興味をさらに増加させがちであるためである。
【課題を解決するための手段】
【０００９】
本発明の実装は、データ送信ネットワークにおいて、デジタル・データ、特にビデオ・データをブロードキャストする方法であって、上記ネットワークは好ましくは、地上デジタル・テレビ・ネットワーク又は衛星テレビ・ネットワークであり、上記ネットワークは１つの送信システム及び複数の受信器を備えており、上記送信されるデータは可変量で送信される一次データを含み及びそれによって一時的にバンド幅を自由にし、上記方法において、追加のデジタル・コンテンツが一時的に自由にされたバンド幅を少なくとも使用して上記送信システムから少なくとも１つの受信器へ送信され、そして上記コンテンツは少なくとも１つの受信器中にローカルに格納される、上記方法に関する。
【００１０】
本発明のこれら実装によって、上記ネットワークにおいて利用可能であり且つ一次データをブロードキャストするために使用されないバンド幅が上記追加のデジタル・コンテンツをブロードキャストするために使用される。それは、上記送信ネットワークのサイズ、特に使用される上記バンド幅、を増加させることなしに且つ上記送信ネットワークを飽和させることなしに、ブロードキャストされるデータの量を増加させることを可能にする。
【００１１】
上記追加のデジタル・コンテンツは、一次データをブロードキャストするために使用されない上記ネットワークにおいて利用可能なバンド幅に応じて決定されるビット・レートで上記ネットワークにおいてブロードキャストされうる。
【００１２】
上記追加のデジタル・コンテンツをブロードキャストする前に所定のレベルに到達するように上記利用可能なバンド幅を待つ必要がある従来の解決策と対照的に、バンド幅が一次データをブロードキャストしている場合でさえもバンド幅が上記ネットワークにおいて利用可能な場合に、上記追加のデジタル・コンテンツがこの利用可能なバンド幅を使用して上記ネットワークにおいてブロードキャストされうる。本発明に従うと、上記追加のデジタル・コンテンツが、上記ネットワークにおいて利用可能なバンド幅の量と独立してブロードキャストされる。
【００１３】
同じ追加のデジタル・コンテンツが、上記ネットワークの全ての受信器にブロードキャストされうる。
【００１４】
上記追加のデジタル・コンテンツ・ファイルのサイズは本発明で制限されず、数百バイトから２Ｇバイト超で変わりうる。
【００１５】
米国特許出願2003/0115294号明細書に記載されている先行技術の解決策と対照的に、上記ネットワークにおいて上記追加のデジタル・コンテンツをブロードキャストすることは、専用チャンネルの存在を要求としない。上記ネットワークにおいて利用可能なバンド幅が一次データをブロードキャストしている場合でさえも当該バンド幅は、所与の受信器のために予約され又は所与の受信器に割り当てられる必要はない。
【００１６】
本発明のこれらの実装は、特に上記ネットワークの上記バンド幅の使用を最適化することを可能にし、及び、バック・チャンネルのない単方向ネットワーク、例えば地上デジタル・テレビ・ネットワーク又は衛星テレビ・ネットワーク、において展開されるために適している。本発明の文脈において、「単方向ネットワーク」は、１つの送信システムから複数の受信器へのみ通信を設定することが可能であり且つ上記複数の受信器から上記送信システムへの通信の設定ができないネットワークである。単方向でないネットワークの一例は、インターネット・プロトコル・テレビ（ＩＰＴＶ）ネットワークである。
【００１７】
上記追加のデジタル・コンテンツが、上記追加のデジタル・コンテンツを得るためのユーザからの以前の要求と独立してブロードキャストされうる。そのような要求の目的は、所定の日付前、又は、上記要求が送信される開始期間内（当該期間は、例えば１日又は数日よりも少なく、特には１時間又は数時間よりも少なく、特には１時間よりも少ない）に、上記追加のデジタル・コンテンツを得ることである。
【００１８】
本発明のこれらの実装は、上記追加のデジタル・コンテンツが上記ユーザによって使用されない場合でさえも、上記追加のデジタル・コンテンツが上記受信器によって受信されることを可能にする。上記追加のデジタル・コンテンツは、例えば「プッシュ」モードで、特には「ポイント・ツー・マルチポイント」タイプ・ブロードキャスト・ネットワーク内で、ブロードキャストされる。すなわち、上記追加のデジタル・コンテンツは、上記送信システムのイニシアティブでブロードキャストされうる。従って、上記利用可能なバンド幅は、上記ネットワークにおいて上記複数の受信器に対して、上記追加のデジタル・コンテンツをプッシュするために使用されうる。
【００１９】
この様式において、上記送信システムが上記送信ネットワークにおいてバンド幅の一時的な利用可能性を知らされる場合にのみ、上記追加のデジタル・コンテンツは有利にブロードキャストされる。
【００２０】
上記追加のデジタル・コンテンツは、例えば、上記一次データをブロードキャストすることにリンク付けられた上記送信ネットワークにおけるバンド幅の利用可能性の予測（「バンド幅・ウィンドウ」）に応じて上記送信システムによってブロードキャストされる。上記予測は、例えば、上記送信ネットワークのオペレータ、特には１又はそれよりも多いテレビ・チャンネルのオペレータ、に由来する。代替的に、このブロードキャスト・ウィンドウは、上記送信システムによって決定される。上記送信システムは、上記ネットワークにおけるバンド幅の利用可能性に対して動的にスレーブにされうる。この目的のために、上記送信システムは、上記ネットワークにおいて利用可能なバンド幅を検出するように且つその利用可能なバンド幅を占有するパディング・パケット（padding packets）を上記追加のデジタル・コンテンツを運ぶパケットに置換するように構成されうる。この様式において、上記ネットワークの使用は、ユーザ当たりの平均収益性（ＡＲＰＵ：average revenue per user）と同様に最適化されうる。
【００２１】
上記送信ネットワークにおいて自由にされるバンド幅から生じる追加のデジタル・コンテンツ・ブロードキャスト・ウィンドウは、例えば、数分の、数十分の、又は数時間の程度でありうる。この時間ウィンドウは毎日実質的に繰り返されうるか、又は、それは、例えば上記送信ネットワーク・オペレータのイニシアティブで又は上記送信システムによって、動的に更新されうる。次に、それは利用可能なバンド幅について動的探索をもたらす。
【００２２】
例えば、上記送信システムは、一次データを送信するために使用されない利用可能なバンド幅についての上記ネットワークを探索するように且つ上記追加のデジタル・コンテンツを送信するためにそれに割り当てられたこの様式において見つけられた利用可能なバンド幅を有するために上記送信ネットワークのオペレータと接触するように構成される。
【００２３】
衛星テレビの状況において、上記ブロードキャスト・ウィンドウはトランスポンダの変更によって生成されうる。
【００２４】
上記データ送信ネットワークは、少なくとも１つの受信器から上記送信システムへの少なくとも１つのバック・チャンネルを有しうる。それは、全ての上記追加のデジタル・コンテンツを上記受信器へルーティングすることを保証することを可能にしうる。このバック・チャンネルは、例えば、インターネット又は電話ネットワークを含みうる。
【００２５】
本発明の第１の実装において、上記追加のデジタル・コンテンツが、固定ビット・レートで上記送信ネットワークにおいてブロードキャストされる。
【００２６】
本発明の第２の実装において、上記追加のデジタル・コンテンツが、可変ビット・レートで上記データ送信ネットワークにおいて連続的にブロードキャストされる。それは、コンテンツをブロードキャストすることが、一次データをブロードキャストすることの結果として変化する上記送信ネットワークにおける上記バンド幅の利用可能性に適合することを可能にする。一次データは、例えば夜の間へ送信されず、ブロードキャストする追加のデジタル・コンテンツのビット・レートは上記期間に増加される。これは、例えば、子供のチャンネル上でブロードキャストされるテレビ番組、チャンネルが朝１時と６時との間で中断されうる番組に対応する一次データに適用されうる。
【００２７】
他の実施態様において、上記追加のデジタル・コンテンツは、非連続的に上記データ送信ネットワークにおいてブロードキャストされる。例えば、上記コンテンツをブロードキャストすることは、中断後にバンド幅が上記ネットワークにおいて再び利用可能であるとすぐに続けられる。それは、ブロードキャストする一次データ・ストリームの変動性の結果として、上記ネットワークの利用可能性に対する上記追加のコンテンツをブロードキャストすることのより精錬された合致を可能にする。
【００２８】
上記追加のデジタル・コンテンツをブロードキャストすることは、例えば、まだブロードキャストされていない上記コンテンツのパケットのみをブロードキャストすることによって続けられる。それは、上記受信器へ既に送信されている全ての上記コンテンツを再ブロードキャストすること及び上記送信ネットワークにおける不必要な渋滞を生じることを避けることを可能にする。
【００２９】
上記追加のデジタル・コンテンツをブロードキャストすることが中断される時間制限はない。
【００３０】
上記送信ネットワークがマルチチャンネル・ネットワークである場合に、上記デジタル・コンテンツは、各チャンネル上で利用可能なバンド幅に応じてブロードキャストされうる。上記追加のデジタル・コンテンツは、１又はそれよりも多いチャンネル上でブロードキャストされる。一次データによる上記チャンネルの占有度に応じてチャンネルを選択することが可能である。
【００３１】
ブロードキャストすることが中断された後に、上記追加のデジタル・コンテンツが、上記中断の前に上記追加のデジタル・コンテンツをブロードキャストするために使用されていたチャンネルと異なる少なくとも一つのチャンネル上で、例えばブロードキャストすることが中断された前に使用されたそれらと異なる複数のチャンネル上のみで、ブロードキャストされうる。
【００３２】
上記送信ネットワークは少なくとも２つのサブ・ネットワークを備えうる。そして、上記送信システムによって上記追加のデジタル・コンテンツを上記受信器へブロードキャストすることは、各サブ・ネットワークにおいて利用可能なバンド幅に応じて適応されうる。ブロードキャストすることは、例えば、上記サブ・ネットワークの一つのみにおいて、又は代替的に、上記サブ・ネットワークのそれぞれにおいて異なる割合でもたらされる。
【００３３】
上記受信器はデジタル・ストレージ・スペースを備えており、及び、上記追加のデジタル・コンテンツは、上記追加のデジタル・コンテンツを格納するために割り当てられる上記ストレージ・スペースの部分に関連するデータを含みうる。それは、上記送信システムが、上記受信器の上記デジタル・ストレージ・スペースの使用を管理することを可能にする。上記受信器は、それが上記追加のデジタル・コンテンツに含まれるデータによって遠隔に制御されうるように構成されうる。
【００３４】
上記追加のデジタル・コンテンツは、上記受信器による上記コンテンツの管理に関連するデータを含みうる。上記追加のデジタル・コンテンツの少なくとも一部は、上記データに応じて上記受信器の上記デジタル・ストレージ・スペース中に格納され又はそれから削除されうる。それは、上記送信システムが、上記受信器の上記デジタル・ストレージ・スペース中に格納される上記追加のデジタル・コンテンツを管理することを許す。上記送信システムは、例えば、各受信器の上記デジタル・ストレージ・スペース中に格納された上記追加のデジタル・コンテンツを更新しうる。これは、例えば、コンサルティングのために利用可能なファイルのリストから最古のファイルを削減することによって新しいファイルのための場所を作成することを可能にする。
【００３５】
上記追加のデジタル・コンテンツは、ＶＯＤのために使用する文脈において、マルチメディア・ファイル、特にはフィルム又はビデオ・クリップを含みうる。
【００３６】
上記受信器は、上記フィルタによって拒絶されないマルチメディア・ファイルのみが上記受信器によって格納されるように、ユーザ・プロファイルに応じて少なくとも１つのマルチメディア・ファイル・アクセプタンス・フィルタを適用しうる。それは、上記ユーザに対して興味のありそうなファイルのみが上記受信器中に格納されることを可能にする。上記フィルタは、例えば、上記ユーザにアクセス可能なユーザ・インタフェースによって上記ユーザによって設定されるパラメータを有する。代替的に、これらフィルタは、特に上記ユーザの挙動の学習に基づいて、上記ユーザとは別のエンティティによって設定されるパラメータを有する。上記フィルタ・パラメータは例えば、ユーザが例えばインターネットを介してユーザ・アカウントにログ・オンする場合に、遠隔的に設定されうる。
【００３７】
上記データ送信ネットワークは、例えば、地上デジタル・テレビ・ネットワーク（ＤＴＴ）、衛星テレビ・ネットワーク、又はインターネット・プロトコル・テレビ（ＩＰＴＶ）ネットワークである。本発明は、上記ネットワークの上記種類のうちの最初の２つについて特に便益がある。
【００３８】
ブロードキャストされる上記追加のデジタル・コンテンツは、例えば多言語コンテンツである。それは、このコンテンツが上記ユーザの言語と独立して１回のみ送信されることを可能にしうる。これは、衛星テレビ・ネットワークの文脈において特に便益がある。
【００３９】
上記追加のデジタル・コンテンツは、受信器の上記ユーザに透過的である様式で上記受信器の上記デジタル・ストレージ・スペース（「ハードディスク」）中に格納されうる。すなわち、バンド幅が上記送信ネットワークにおいて利用可能であり、但し上記コンテンツが上記に述べられたフィルタによって拒絶されないとすぐに、上記追加のデジタル・コンテンツに関連するデータの回復及びそれらの格納は、上記ユーザによって提出される旨の任意の要求と独立してもたらされうる。
【００４０】
上記追加のデジタル・コンテンツに関連するデータの回復及びそれを上記１つの受信器又は複数の受信器の上記デジタル・ストレージ・スペース中に格納することは、上記受信器が上記コンテンツを格納するために所定の時間で開始するようにプログラムすることなしにもたらされうる。
【００４１】
ユーザへ送信される上記追加のデジタル・コンテンツは、例えば、上記受信器に特異的な暗号鍵を使用して、暗号化されそして上記受信器中に格納されうる。
【００４２】
上記受信器は、例えばテレビ出力、特にはコンポジット・ビデオ、Ｓビデオ、若しくはＨＤＭＩ接続、又は、デジタル出力の何らかの他のタイプを備えている。
【００４３】
上記受信器は、例えば内蔵ハードディスク、外部ハードディスク、又は、フラッシュ・メモリを備えており、例えばセット・トップ・ボックスからなる。
【００４４】
上記追加のデジタル・コンテンツは、インターネットとは独立してブロードキャストされうる。従って、本発明は、上記インターネットを使用することなしに済ますことを可能にしうる。
【００４５】
本発明の他の実装は、データ送信ネットワークにおいてデジタル・データ、特にはビデオ・データ、をブロードキャストする方法であって、上記ネットワークは好ましくは、地上デジタル・テレビ・ネットワーク又は衛星テレビ・ネットワークであり、上記ネットワークは一つの送信システム及び複数の受信器を備えており、上記送信されるデータは可変量で送信される一次データを含み及びそれによって一時的にバンド幅を自由にし、上記方法において、追加のデジタル・コンテンツが、一時的に自由にされたバンド幅を使用して上記送信システムから少なくとも１つの受信器へ送信され、及び、上記コンテンツは、少なくとも１つの受信器中にローカルに格納され、この追加のデジタル・コンテンツは、一次データをブロードキャストするために使用されない上記ネットワークにおいて利用可能なバンド幅に応じて決定されたビット・レートで送信される、上記方法に関する。
【００４６】
上記に述べられた他の実装は、単方向ネットワーク及び他のネットワーク、例えばインターネット・プロトコル・テレビ（ＩＰＴＶ）・ネットワーク、に適用されうる。
【００４７】
さらに、本発明の実装は、少なくとも１つのデータ送信ネットワークにおいて少なくとも１つの送信システムから少なくとも１つの受信器へ追加のデジタル・コンテンツをブロードキャストするためのシステムであって、上記ネットワークは好ましくは、地上デジタル・テレビ・ネットワーク又は衛星テレビ・ネットワークであり、上記送信されるデータは可変ビット・レートで送信される一次データを含み及びそれによって一時的にバンド幅を自由にし、上記ブロードキャストするためのシステムは、上記一時的に自由にされたバンド幅を使用して上記送信システムから少なくとも１つの受信器へ追加のデジタル・コンテンツを送信するように構成されている、上記システムに関する。
【００４８】
そのようなシステムは、上記したブロードキャストする方法の任意の特徴の幾つか又は全てを有しうる。それは、一次データをブロードキャストするために使用されない上記ネットワークにおいて利用可能なバンド幅に応じて決定されるビット・レートで上記追加のデジタル・コンテンツを送信するように構成されうる。
【００４９】
本発明は、実施例によって与えられる本発明の非制限的実装の下記記述を読むことで及び添付図を参照してより理解されうる。
【図面の簡単な説明】
【００５０】
【図１】図１は、本発明のデータ送信ネットワークの一例のダイアグラムである。
【図２】図２ａは、追加のデジタル・コンテンツをブロードキャストすることの例を示す。
【図２ｂ】図２ｂは、追加のデジタル・コンテンツをブロードキャストすることの例を示す。
【図２Ｃ】図２Ｃは、追加のデジタル・コンテンツをブロードキャストすることの例を示す。
【図３】図３は、上記受信器によって受信される追加のデジタル・コンテンツの受信器による処理を示す。
【図４】図４は、本発明が使用されうるネットワークのダイアグラムである。
【図５】図５は、上記送信システムのコンポーネントのユーザ・インタフェース・スクリーンショットである。
【図６】図６は、上記送信システムのコンポーネントのユーザ・インタフェース・スクリーンショットである。
【図７】図７は、上記送信システムのコンポーネントのユーザ・インタフェース・スクリーンショットである。
【図８】図８は、上記送信システムのコンポーネントのユーザ・インタフェース・スクリーンショットである。
【図９】図９は、上記送信システムのコンポーネントのユーザ・インタフェース・スクリーンショットである。
【図１０】図１０は、上記ネットワークにおいて上記追加のデジタル・コンテンツをブロードキャストする前のステップを図式的に表す。
【発明を実施するための形態】
【００５１】
図１は、本発明の第１の実装のデータ送信ネットワーク１を示す。このネットワークは例えば、地上デジタル・テレビ・ネットワーク、衛星テレビ・ネットワーク、又は、インターネット・プロトコル・テレビ（ＩＰＴＶ）・ネットワークである。送信ネットワーク１は例えば、マルチチャンネル・ネットワークである。送信ネットワーク１は、一つの送信システム２及び複数の受信器３を備えている。
【００５２】
ネットワーク１は、一次データ、例えばＴＶ番組、及び追加のデジタル・コンテンツを送信する。上記追加のデジタル・コンテンツは例えば、マルチメディア・ファイル、例えば映画、を含み、上記ファイルは、多言語コンテンツを構成しうる。これらファイルは、ＭＰＥＧ２、Ｈ２６４、ＳＤ、又はＨＤフォーマットでありうる。上記追加のデジタル・コンテンツは、ファイル、例えば電子番組ガイド（ＥＰＧ）、広告、又は、ビデオ・ゲームを含みうる。
【００５３】
上記追加のデジタル・コンテンツがマルチメディア・ファイルを含む場合に、それはまた、上記ネットワークにおいて利用可能なカタログ及び／又は予告編及び／又は広告からの他のマルチメディア・ファイル、特には上記追加のデジタル・コンテンツ中に存在するマルチメディア・ファイル、に関連付けられた画像を含みうる。
【００５４】
本明細書に記載された実施例において、上記追加のデジタル・コンテンツはまた、受信器３による上記追加のデジタル・コンテンツの管理に関連するデータを含み、上記受信器によるこのデータの受信は、例えば、上記データに応じて上記受信器の上記メモリ・スペースにおけるファイルの格納又は削除をもたらす。記述子データは、上記追加のデジタル・コンテンツの各ファイルに関連付けられており、及び、上記ファイルが映画である場合に、例えば、そのタイトル、ジャンル、著者、俳優、作成日、言語、概要、上記映画の長さ、親のガイドライン、又は、上記ファイルの開始日及び／若しくは上記ファイルが上記受信器の上記ストレージ・スペースから削除されるであろう終了日を含む。
【００５５】
ファイルが読まれうる最大回数を定義するパラメータがまた、上記ファイルに関連付けられうる。
【００５６】
上記追加のデジタル・コンテンツは、暗号化された形式で送信されうる。そして、ストレージはローカルの暗号を伴うことがあり、例えば、仏国特許2 846 831号明細書中に記載されているように各受信器に特異的な暗号化鍵でファイルを暗号化する。
【００５７】
本明細書に記載された実施例における送信システム２は、サービス・プロバイダ、例えば、ＴＶチャンネル、又はビデオ・オン・デマンドを提供するオペレータである。
【００５８】
送信システム２が、図４においてより詳細に示されている。図４は、送信システム２が、コンテンツ・マネージャ３０、送信マネージャ４０及びサーバ５０を備えていることを示す。
【００５９】
コンテンツ・マネージャ３０は、ウェブ・ブラウザを介してアクセス可能であり、且つ、下記機能の幾つか又は全てを有しうる：
・文書索引付け、この機能は、１又はそれよりも多いマルチメディア・ファイルに関連付けられた記述子データの入力を可能にする；
・データ管理、この機能は、一つのマルチメディア・ファイル（例えば、ビデオ・ファイル）を、追加のマルチメディア・ファイル（例えば、追加のビデオ・ファイル）と組み合わせを可能にする；
・関連付けする文書管理、この機能は、ビデオ・ファイルをブロードキャストする場合に、種々のフォーマット、例えばＰＤＦ、ＪＰＥＧ，テキスト、又は、他のフォーマットに、テキスト又は写真の関連付けを可能にする；
・カタログ管理、この機能は、例えば、管理モジュールを使用して、提供するファイルをリストする；
・編集管理、この機能は、データ（例えば、優先レベル）をブロードキャストされるべきマルチメディア・ファイルに関連付けることを可能にする；
・権利管理、この機能は、例えば、子供が大人のために予約された追加のデジタル・コンテンツを受信することを防ぐために、マルチメディア・ファイルをブロードキャストする観点から必要な商業的パラメータ、例えば日付及び時間又はターゲット・パブリックに応じてのその値段及び利用可能性、を示すことを可能にする；及び／又は、
・１又はそれよりも多い受信器３の上記デジタル・ストレージ・スペースの管理、この機能は下記に記載される。
【００６０】
このコンテンツ・マネージャは、選択可能でありうる言語及び／又はアルファベットのユーザ・インタフェースを介してアクセス可能でありうる。図５及び図６は、そのようなユーザ・インタフェースの例のスクリーン・ショットである。
【００６１】
送信マネージャ４０は、一次データを送信するために使用されない上記ネットワークにおいて利用可能なバンド幅に応じて上記追加のデジタル・コンテンツの送信を予測するように構成されるプログラムである。
【００６２】
上記ネットワークにおいて利用可能なバンド幅は、例えばネットワーク・オペレータによって供給される情報によって、送信システム２に知られている。代替的に、送信マネージャ４０は、一次データを送信するために使用されない上記ネットワークにおける任意のバンド幅を動的に探索するように構成される。パラメータは、ブロードキャスト・ウィンドウについて、送信されるべき上記コンテンツ、上記コンテンツが送信されるべきビット・レート、及び必要ならば、経時的なそのビット・レートの進展を定義することによって送信マネージャ４０のオペレーションを構成するように設定されうる。このようにして送信マネージャ４０のパラメータを設定することは送信失敗の場合に上記追加のデジタル・コンテンツを再送信するための条件、上記コンテンツ又は上記追加のデジタル・コンテンツに関連付けられた優先レベルをブロードキャストすることを中止するための条件を定義することをさらに含みうる。
【００６３】
図７〜図９は、本発明の一実装の送信マネージャ４０のユーザ・インタフェースのスクリーン・ショットを示す。
【００６４】
本実施例において、サーバ５０は、例えばＶＦＤＰ  Ｖ２プロトコルを使用して、上記ネットワークにおいて上記追加のデジタル・コンテンツをブロードキャストするために「プッシュ」モードで作動するように適合される。サーバ５０へのアクセスは、例えば、アプリケーション・プログラミング・インタフェース（ＡＰＩ）を介して可能である。それは、送信マネージャ４０が、サーバ５０によってもたらされるタスクを監視するためにアクセスできる。
【００６５】
サーバ５０が上記追加のデジタル・コンテンツをブロードキャストするビット・レートは、動的に、特にはリアル・タイムで、調節されうる。上記追加のデジタル・コンテンツをブロードキャストすることは、中断され、そして再開されうる。
【００６６】
上記送信ネットワークがＤＶＢネットワークである場合に、サーバ５０によって送信される上記追加のデジタル・コンテンツは、ＭＰＥプロトコルに従ってＴＳカプセル化されるパケット内に、モジュール６０によってカプセル化されるＩＰパケットの形態をとりうる。
【００６７】
受信器３は、例えば、セット・トップ・ボックス（ＳＴＢ）としても知られているデコーダであり、デジタル・ストレージ・スペース４を定義し例えば160Gバイトから250Gバイトの範囲の容量（但し、この範囲は本発明で制限されない）を有する内蔵の若しくは外付けのハードディスク又は他のマス・ストレージ・デバイスを備えている。これら受信器は、内蔵の若しくは外付けのハードディスク、又は、フラッシュ・メモリを有しうる。
【００６８】
上記受信器は、ビデオ及びデジタル又はアナログ・オーディオを提供する出力、例えばＨＤＭＩ出力、を有しうる。
【００６９】
ネットワーク１は、受信器が情報を上記送信機へ送信することを可能にするバック・チャンネルなしの単方向ネットワークである。代替的に、ネットワーク１は、そのようなバック・チャンネル７を備えている。
【００７０】
受信器３は、図３において示されているように、ユーザ・プロファイルからの情報に応じて受信器３の上記ユーザによって設定されるパラメータを有する１又はそれよりも多いフィルタ５を備えうる。これらフィルタは、上記ユーザが、彼らの関心事に関する送信システム２から受信された上記追加のデジタル・コンテンツ中のファイルのみを受容することを可能にする。ファイルが１つのフィルタ又は複数のフィルタ５によって拒絶されない場合に、それは、特には復号された後に、上記受信器のストレージ・スペース４中に格納されうる。
【００７１】
上記デジタル・ストレージ・スペースの部分が、追加のデジタル・コンテンツを格納するために専用化される。この部分は、図３において見られうるように、受信器３ごとに変わりうる。
【００７２】
受信器３は、受信される上記追加のデジタル・コンテンツから得られたファイルのリストを表示するための手段と上記追加のデジタル・コンテンツの受信に関連するパラメータを修正するための及び／又はこのようにして受信されるファイルを選択するための手段とを含むユーザ・インタフェースを備えうる。上記ユーザ・インタフェースは、ＨＴＭＬ、ブルーストリーク（Bluestreak）、フラッシュ（Flash）、又は他のタイプのグラフィカル・インタフェースを備えうる。有効なファイルのみ、すなわち有効期限が切れていない有効日に関連付けられたファイル、がこのグラフィカル・インタフェース上に表示されうる。
【００７３】
受信器３は、サーバ５０によって送信されるコンテンツを再構成するための、ダウンロード・ソフトウェアの形態にあるモジュール７０を備えている。上記コンテンツは、複数の機会で受信器３に転送されていてもよい。なぜならば、上記バンド幅は、全ての上記追加のデジタル・コンテンツの送信を同時に可能にするのに十分でなかったからである。モジュール７０は、受信器３の上記デジタル・ストレージ・スペースを管理するための、上記機能の文脈におけるコンテンツ・マネージャ３０と協調する。
【００７４】
上記ユーザ・インタフェースは例えば、キーパッド及びスクリーンを備えうる。当該スクリーン上で、番組が視聴される。上記キーパッドは例えば、遠隔制御である。代替的に、上記ユーザ・インタフェースは、会話認識手段を備えうる。
【００７５】
ユーザ・インタフェースによって、受信器３の上記ユーザは、受信器３の上記ストレージ・スペースにおいて利用可能なファイルの幾つか又は全て、及び、上記追加のデジタル・コンテンツの各ファイルの管理に関連するデータを見ることができる。このデータは、上記送信ネットワークを介してブロードキャストされるファイルの日ごとの管理、例えば上記ユーザが設定しうるパラメータである各日ずつのファイルの管理、を可能にしうる。受信器３は、例えば、１又はそれよいも多い電子基板カードを備えている処理ユニットを備えており、且つ、有効期限が到達したファイル又は所定の時間に視聴されなかった最古の記録ファイルを削除するように構成されている。
【００７６】
上記コンテンツを管理することに関連する上記データはまた、上記受信器の上記デジタル・ストレージ・スペース中に格納された全てのファイルの削除をもたらす。
【００７７】
上記ユーザは、例えば、受信ファイルの言語を変更するために上記ユーザ・インタフェースを使用しうる。代替的に、上記ユーザは、上記した１つのフィルタ又は複数のフィルタのパラメータを変更するために上記インタフェースを使用しうる。上記ユーザ・インタフェースはまた、ユーザが受信ファイルを視聴することを可能にするように構成されうる。上記ユーザ・インタフェース・スクリーンは、例えば、上記ファイルを視聴するための権利を得るために、上記ユーザが例えば対話型ボイス・サーバを介して上記サーバ・センタへ送信しなければならないファイルの数と識別子とを上記ユーザが与えるバーを備えている。
【００７８】
本発明の一つの実施態様において、各受信器３は、ユーザ・トランザクションを上記した対話型ボイス・サーバ役割を有するサービス・センタに運ぶバック・チャンネルに接続されうる。上記サーバは、これらの権利を上記ユーザに経路付けするために、このバック・チャンネル又は上記送信ネットワークのいずれかを使用しうる。上記バック・チャンネルは、例えば、インターネット接続を備えている。
【００７９】
ネットワーク１において追加のデジタル・コンテンツをブロードキャストすることの例が、図２を参照して以下に記載されている。
【００８０】
上記追加のデジタル・コンテンツは、上記一次データのブロードキャストにリンクされた、上記送信ネットワークにおける予測バンド幅利用可能性に応じて送信システムによってブロードキャストされる。これらの予測は、専用のインタフェースを介して送信ネットワーク・オペレータによって上記送信システムに通信される。代替的に、この予測は、電子番組ガイド（ＥＰＧ）をコンサルティングすることによって送信システム・オペレータによってもたらされる。
【００８１】
上記送信ネットワークが地上デジタル・ネットワークである場合に、上記予測は、幾つのチャンネルが送信されない期間を考慮する。上記予測は、上記送信システム・オペレータのイニシアティブで又は上記送信システムそれ自体によって更新され、そして上記ネットワークの各マルチプレックスに関係しうる。そして、上記利用可能なバンド幅は、各マルチプレックスについて上記追加のデジタル・コンテンツをブロードキャストすることを割り当てられうる。
【００８２】
上記送信ネットワークが衛星テレビ・ネットワークである場合、上記予測は、複数のトランスポンダに関連しうる。
【００８３】
上記追加のデジタル・コンテンツをブロードキャストすることは、１分から数十分までの期間を有するタイム・ウィンドウに対応する。代替的に、上記タイム・ウィンドウをブロードキャストすることは、数時間の程度でありうる。
【００８４】
図２ａ例において、上記ネットワーク１において利用可能なバンド幅は一次データをブロードキャストするので、上記利用可能なバンド幅は、送信システム２が全ての追加のデジタル・コンテンツ、特には全てのビデオ・ファイル、を同じ時間でのタイム・ウィンドウの間に且つ固定ビット・レートでブロードキャストすることを可能にする。
【００８５】
図２ｂ例において、上記ネットワーク１において利用可能なバンド幅は、送信システム２が全ての上記追加のデジタル・コンテンツ、特には全てのビデオ・ファイル、を同時に、しかし上記ネットワークにおける上記自由にされたバンド幅に応じて変化するビット・レートでブロードキャストすることを可能にする。
【００８６】
図２ｃ例において、上記追加のデジタル・コンテンツは非連続的にブロードキャストされ、ブロードキャストすることは、複数のパケットがすでにブロードキャストされている場合に、上記ネットワークにおけるバンド幅の非利用可能性の故に中断される。上記中断は、数分、数時間、又は数日ですらの程度でありうる。上記デジタル・コンテンツをブロードキャストすることは、バンド幅が上記送信ネットワークにおいて再び利用可能である場合に再開する。
【００８７】
図２Ｃ例において、上記パケットは、上記中断前にチャンネルｃ上で送信され、そして、ブロードキャストすることを再開するとすぐに、これらパケットは他のチャンネルＣ’上へ送信される。しかし、ブロードキャストすることが上記中断前に使用された場合と同じチャンネル上で再開する場合に、本発明の範囲から逸脱するものではない。
【００８８】
他の代替は、上記ネットワークについて２つのサブ・ネットワークを備えているようにすること、及び、ブロードキャストすることについて、各サブ・ネットワークにおいて利用可能なバンド幅に応じて上記サブ・ネットワークのうちの一つのみを介して、又は上記サブ・ネットワークの各々を介して種々の割合でもたらされうるようにすることである。
【００８９】
ブロードキャストすることを再開するとすぐに、まだそれに送信されていないパケットのみが上記受信器へ送信される。
【００９０】
マルチメディア・ファイルの送信の終わりで、送信システム２は、上記送信ネットワークにおいて利用可能なバンド幅に応じて１又はそれよりも多い受信器に新しいマルチメディア・ファイルを送信しうる。代替的に、送信システム２は、合致されるべきサービス・オブジェクトの質、技術的制約及び／又は上記送信ネットワークのトポロジー、例えばパケット送信概念、に応じて、上記送信ネットワークにおいて同じ追加のデジタル・コンテンツ、例えば同じファイル、を再ブロードキャストしうる。
【００９１】
代替的に、いったん追加のデジタル・コンテンツがブロードキャストされると、送信システム２は待機状態に入りうる。上記ネットワークにおいて追加のデジタル・コンテンツをロードしそしてブロードキャストするための、図４に示されているシーケンスが下記に記載されている。上記ネットワークは、地上デジタル・テレビ・ネットワーク、例えばＤＴＴ、ＳＡＴネットワーク、又はＩＰ  ＭＰＬＳネットワークである。
【００９２】
各コンテンツ・プロバイダからの追加のデジタル・コンテンツは、ＦＴＰサーバに対するセキュア接続を介して送信システム２内にロードされうる。ロードされる上記コンテンツは、１又はそれよりも多いマルチメディア・ファイルに加えて、一つのマルチメディア・ファイル又は複数のマルチメディア・ファイルに関連付けられたメタデータを含みうる。上記コンテンツ・プロバイダは、上記コンテンツが送信システム２内にロードされたときに、確認メッセージを受信しうる。必要であれば、既に有効期限が切れている又は切迫して有効期限切れになる有効期限でロードされた上記コンテンツとそれを修正するために上記コンテンツ・プロバイダを招待するメッセージとが送信されうる。次に、コンテンツ・マネージャ３０は、上記ロードされたコンテンツ中に現れる発行日に自動的に又は上記ロードされたコンテンツ中の発行日がない場合に手動で、のいずれかで、このようにしてロードされた上記コンテンツを発行しうる。
【００９３】
次に、上記ロードされたコンテンツは、サーバ５０が上記ネットワークにおいてそれをブロードキャストするために送信マネージャ４０によってフォーマットされうる。この形成工程は、上記追加のデジタル・コンテンツ中に存在する上記１つのマルチメディア・ファイル又は複数のマルチメディア・ファイルを暗号化すること、及び、上記１つ又は複数のマルチメディア・ファイルに関連付けられうる上記で言及された全ての他のファイルを上記コンテンツ中にグループ化すること、を含む。
【００９４】
この追加のデジタル・コンテンツは、上記追加のデジタル・コンテンツに関連付けられた優先レベル、上記コンテンツをブロードキャストするために必要なイン−バンド利用可能性と上記ネットワーク資源との間の合致、及び上記追加のコンテンツのサイズ、を包含する複数の基準に応じて上記ネットワークにブロードキャストされうる。
【００９５】
上記コンテンツをブロードキャストする間、コンテンツ・マネージャ３０又は送信マネージャ４０の上記ユーザ・インタフェースは、そのブロードキャストをすることに関連する情報、例えば上記ブロードキャストのビット・レート又は上記コンテンツに関連付けられた識別子、を表示しうる。
【００９６】
上記追加のデジタル・コンテンツがブロードキャストされる上記ビット・レートは、上記で説明されているように動的に変更されうる。上記追加のデジタル・コンテンツをブロードキャストするために利用可能なバンド幅がない場合に、ブロードキャストすることは中断され、次に、一旦、一次データをブロードキャストするために使用されていないバンド幅が再び利用可能になった場合に、必要であれば他のマルチプレックスを使用して再開しうる。本明細書に記載された実施例において、上記追加のデジタル・コンテンツをブロードキャストすることを再開するとすぐに、まだ送信されていない上記コンテンツのパケットのみがブロードキャストされる。
【００９７】
モジュール７０は、連続的に又は非連続的に作動しうる。このモジュールは、上記ネットワークの幾つかの又は全てのマルチプレックスによって分散される追加のデジタル・コンテンツの輸送をアナウンスする上記ネットワークにおけるメッセージをリッスンするように構成される。新しい追加のデジタル・コンテンツをブロードキャストすることがアナウンスされるとすぐに、モジュール７０は、上記追加のデジタル・コンテンツがそれが一部である受信器３に関連するかどうかを決定するために、上記アナウンス・メッセージを解析しうる。
【００９８】
この決定は、例えば、下記基準の一つに基づく：
・上記リストが存在し且つ上記追加のデジタル・コンテンツが上記ネットワークの全ての受信器３にブロードキャストされるように意図されていない場合に、上記受信器が追加のデジタル・コンテンツ・ブロードキャスト・リストに属すること；
・この追加のデジタル・コンテンツを以前に受信していないこと；
・上記追加のデジタル・コンテンツに関連付けられたキーワードと上記された１つのフィルタ又は複数のフィルタ５との間で合致すること；及び
・例えばモジュール７０の命令に応じてその有効期限が切れているマルチメディア・ファイルをこのデジタル・メモリ・スペースから削除後に必要であれば、このコンテンツを格納するために上記受信器の上記デジタル・ストレージ・スペース中に十分な場所が存在すること。マルチメディア・ファイルを削除することに応じて、上記追加のデジタル・コンテンツの部分を形成し且つ上記マルチメディア・ファイルに関連付けられた全ての他のファイル、例えばＸＭＬファイル、がまた、受信器３のデジタル・ストレージ・スペースから削除されうる。上記追加のデジタル・コンテンツ中のブロードキャストされるマルチメディア・ファイルの上記受信器の上記ユーザにより視聴することは、例えば、上記ユーザがサブスクリプションを取り出すとことを条件として、ユーザがトークンを使用して、それらの所定数がそれらに以前に割り当てられていることを条件として、又は、オン・デマンド支払いを条件としてである。上記オン・デマンド支払いオプションは、例えばインターネット又は電話ネットワークを介して、上記ネットワークにおけるバック・チャンネルの存在を要求しうる。
【００９９】
追加のデジタル・コンテンツを受信器３へブロードキャストすることは、上記に説明されたように、アナウンス・メッセージ、例えばサーバ５０によって送信されるＶＦＤＰタイプのメッセージ、によって先行されうる。このアナウンス・メッセージは、上記追加のデジタル・コンテンツをブロードキャストすることの開始、終了、中断及び再開に関連して、上記受信器に対する指示を含みうる。上記ネットワークにおいてブロードキャストされうる各新しい追加のデジタル・コンテンツについて、上記アナウンス・メッセージは、情報、例えば上記マルチメディア・ファイルの長さ、キーワード、ブロードキャスト・リスト、及び、上記ネットワークが複数のチャンネルを備えている場合に、輸送メッセージを送信するために使用される上記チャンネル、を含みうる。
【０１００】
これらアナウンス・メッセージは、専用のチャンネル、例えばアドレス又はマルチキャスト・ポート又はＰＩＤ／ＴＳＩＤ識別子に関連付けられたチャンネル、上でブロードキャストされうる。
【０１０１】
輸送メッセージは、上記ペイロードをブロードキャストするためにサーバ５０によって送信されうる。これら輸送メッセージのサイズ及びビット・レートは、アプリケーション・パラメータに応じてサーバ５０によって決定されうる。そして、これら輸送メッセージの上記ビット・レートは、ブロードキャストの間に変更されうる。アナウンス・メッセージと同様の方法において、輸送メッセージは、上記アナウンス・メッセージによって得られる専用のチャンネル上にブロードキャストされうる。この専用のチャンネルは、例えば、アドレス又はマルチキャスト・ポート又はＰＩＤ／ＴＳＩＤ識別子に関連付けられうる。
【０１０２】
送信システム２によって上記追加のデジタル・コンテンツをブロードキャストすることが開始されているとすぐに、受信器３は、アナウンス・メッセージを送信するために使用される上記チャンネルをリッスンしうる。アナウンス・メッセージが上記受信器に関連する場合、上記受信器は、上記受信したパケットを格納しそして再構成することによって、受信された上記追加のデジタル・コンテンツを再構築しうる。
【０１０３】
上記した通り、上記追加のデジタル・コンテンツは、キーワードによってアナウンスされうる。それは、上記受信器が、受信されるファイルが以前に受信されたキーワードに対応することを確認することを可能にしうる。
【０１０４】
上記アナウンスメント及び輸送メッセージが、ダウンリンク接続を介して送信されうる。そして、上記ストリームは、マルチキャストＩＰアドレスに対応しうる。
【０１０５】
上記追加のデジタル・コンテンツをブロードキャストすることの文脈において、サーバ５０は、ＶＦＤＰメッセージ及び、ＵＤＰ又はＴＣＰパケットをマルチ・キャスト・アドレスへ送信する。ＴＣＰモードを使用することは、ブロードキャストするビット・レートを上記ＭＰＥエンカプスレータ（encapsulator）側上で利用可能な最大値にスレーブすることを可能にしうる。
【０１０６】
図１０に示されているように、参照することは、マルチ・キャスト・アドレスとマルチプレックス／ＰＩＤペアとの間でもたらされうる。それは、上記利用可能なバンド幅を最適化するために異なるマルチプレックスにおいてパケットをブロードキャストすることを可能にしうる。
【０１０７】
上記送信システム２の構成要素の例が下記に与えられる。コンテンツ・マネージャ３０及び送信マネージャ４０は、php  アパッシュ（APACHE）（登録商標）ウェブ・サーバ、アパッシュ（APACHE）  トムキャット（TOMCAT）（登録商標）サーバ、及びMySQLデータベースの下記バージョンに基づきうる：
・APACHE（登録商標）ウェブ・サーバ  バージョン  1.3；
・APACHE  TOMCAT（登録商標）サーバ  バージョン  6；
・phpバージョン  5；
・MySQLバージョン  4。
【０１０８】
上記サーバは、例えば、ＬＩＮＵＸ（登録商標）オペレーティング・システムを使用する。
【０１０９】
上記サーバは、例えば、HP  DL  380  G5  インテル（登録商標）  Xeon（登録商標）クアッド・コア３、16GHz、2U、4GバイトRAM  DD  500Gバイト・サーバである。
【０１１０】
サーバ５０は、例えば、ウィンドウズ（登録商標）オペレーティング・システムを使用し、及びHP  DL  360  G5  インテル（登録商標）  XEON（登録商標）クアッド・コア２、33GHz、1U、2GバイトRAM  DD  150Gバイト・サーバである。
【０１１１】
上記サーバは冗長でありうる。コンテンツ・マネージャ３０及び送信マネージャ４０は、これらのサーバ上の「ホット−プラグ」アプリケーションでありうる。
【０１１２】
サーバ５０によって上記追加のデジタル・コンテンツをブロードキャストすることが失敗する場合には、送信マネージャ４０は、バックアップ・サーバに上記コンテンツをブロードキャストすることを引き継ぐことを要求しうる。
【０１１３】
表現「一つを含む」は、反対に特定されない限り「少なくとも１つを含む」を意味するとして理解されるべきである。
【図１】
2013500618.tif 000003
【図２ａ】
2013500618.tif 000004
【図２ｂ】
2013500618.tif 000005
【図２ｃ】
2013500618.tif 000006
【図３】
2013500618.tif 000007
【図４】
2013500618.tif 000008
【図５】
2013500618.tif 000009
【図６】
2013500618.tif 000010
【図７】
2013500618.tif 000011
【図８】
2013500618.tif 000012
【図９】
2013500618.tif 000013
【図１０】
2013500618.tif 000014
【手続補正書】
【提出日】平成24年6月4日(2012.6.4)
【手続補正１】
【補正対象書類名】特許請求の範囲
【補正対象項目名】請求項１７
【補正方法】変更
【補正の内容】
【請求項１７】
１つの送信システム及び複数の受信器を備えているデータ送信ネットワークにおいてデジタル・データをブロードキャストする方法であって、上記送信されるデータは可変量で送信される一次データを含み及びそれによって一時的にバンド幅を自由にし、上記方法において、
ビット・レートが、一次データをブロードキャストするために使用されない上記ネットワークにおいて利用可能なバンド幅に応じて、同じ追加のデジタル・コンテンツを上記送信システムから上記ネットワークの全ての受信器へ送信するように決定され、
上記同じ追加のデジタル・コンテンツは、上記一時的に自由にされたバンド幅を少なくとも使用することによって前記ビット・レートで送信され、及び、
上記コンテンツは少なくとも１つの受信器中にローカルに格納される、
上記方法。
【国際調査報告】
2013500618.tif 000015
2013500618.tif 000016
2013500618.tif 000017
2013500618.tif 000018
2013500618.tif 000019
2013500618.tif 000020
2013500618.tif 000021
2013500618.tif 000022